(57)【要約】 【課題】鋼板により形成されている収納家具において、部品点数の削減及び収納空間の見栄えの向上を図る。 【解決手段】鋼板により構成される収納家具Ｔと、前記収納家具Ｔにより区画され前方に向けて開口する物品収納空間Ｓとを有する収納家具Ｔにおいて、前記収納家具Ｔの一部である背板１３を、鋼板に対する塑性変形加工により形成され高さ方向に延伸する形状の補強部１３ａを有するものにする。 【選択図】図６
2005278719.tif 000002
【特許請求の範囲】
【請求項１】
頂板と底板と、凹凸形状をなし高さ方向に延伸する複数の補強部を一枚の金属板に塑性変形加工することによって一体に形成してなる側面板又は背板とで囲まれた収納空間を有し、前記補強部は前記収納空間側に突出しており、前記収納空間に棚板保持具を用いて棚板を取付けて使用するものであって、前記補強部に前記側面板又は背板の厚み方向に貫通する棚板保持具係合孔を有することを特徴とする収納家具。
【請求項２】
前記収納空間は、それを幅方向に区画する中間仕切りによって複数の小空間たる物品収納空間に分割されており、前記背板の前記物品収納空間に面する範囲内の左右端近傍にそれぞれ前記補強部を形成していることを特徴とする請求項１記載の収納家具。
【請求項３】
前記頂板は、前記側面板又は背板の上端を隠蔽するように取付けられ、前記頂板には前記補強部の背面側に臨む位置に上下方向への貫通孔が設けられていることを特徴とする請求項１又は２記載の収納家具。
【発明の詳細な説明】
【技術分野】
【０００１】
本発明は塑性変形加工によって側面板や背板に補強構造を一体に形成した収納家具に関する。
【背景技術】
【０００２】
従来、断面コの字型に形成した補強部材を背板に溶接することで強度を確保する収納家具の構造に関する文献が開示されている。（例えば、特許文献１）
【特許文献１】実用新案登録第３０８６８９６号
【発明の開示】
【発明が解決しようとする課題】
【０００３】
しかしながら、前記別途用意した補強部材を背板に溶接する構造の収納家具では、部品点数が多く製造工程が増え、コスト高になってしまう。
【０００４】
そこで、背板自体を塑性変形加工することで補強構造を一体に形成することが、補強部材を省く手立ての一つとして考えられる。
【０００５】
その際、収納家具に棚板を設ける場合に側面板や背板に棚板保持具を取付けるための構造が必要になるが、何らの工夫もなく補強構造を一体に形成し、側面板や背板に単に取付孔を設けただけでは、棚板保持具を取付けた際にその一部が取付孔から外部に突出して、収納家具を壁際に配置する場合や他の家具と近接して配置するなどの場合に邪魔になったり、前記のように収納家具を配置後に棚板保持具を取付けようとしたときに、壁や他の家具に接触して取付けられないという不都合が発生する。
【０００６】
さらに、収納家具を壁際以外に設置したときには、収納家具の面一な側面や背面に取付孔が無造作に露出して見苦しい姿態を露呈し、また側面や背面の外側面は単なる平面であるため取付孔を利用して外側に棚板を掛ける態様等も取付状態が不安定になるため難しいものである。
【課題を解決するための手段】
【０００７】
前記目的を達成するため、本発明に係る収納家具は、頂板と底板と、凹凸形状をなし高さ方向に延伸する複数の補強部を一枚の金属板に塑性変形加工することによって一体に形成してなる側面板又は背板とで囲まれた収納空間を有し、前記補強部は前記収納空間側に突出しており、前記収納空間に棚板保持具を用いて棚板を取付けて使用するものであって、前記補強部に前記側面板又は背板の前後方向に貫通する棚板保持具係合孔を有することを特徴とする。
【０００８】
このようなものであれば、従来のような別途補強部品を準備して溶接する構成のものに較べて部品点数や工程が削減でき、コストダウンに役立つ。また、収納空間側に突出した補強部の棚板保持具係合孔に棚板保持具を取付けるため、棚荷重を有効に支持することができる上に、収納家具の外形背面側に棚板保持具が突出せず、収納家具を壁面に配置した時にも邪魔にならない。その上、収納家具を部屋の壁際以外に設置したときには、その棚板保持具係合孔が収納空間と背面側に貫通するように設けられており、しかも、外面側から観察した場合に補強部が目地のように視認されその目地内に取付孔が配列開口することになるので、外観が著しく損なわれることを回避できるのみならず、その目地に棚受け等の一部を嵌め込むなどして取付孔を利用すれば、安定した状態で収納家具の外方側面側や背面側から棚板等を取り付ける利用の態様が可能になる。
【０００９】
また、小さな物や長尺物を一括して効率よく収納するためには、前記収納空間を幅方向に区画する中間仕切りによって複数の小空間たる物品収納空間に分割し、前記背板の前記物品収納空間に面する範囲内の左右端近傍にそれぞれ前記補強部を形成しているものが挙げられる。こうすることで各物品収納空間毎に必要な段数の棚板を取付けることが可能となる。
【００１０】
さらに、前記頂板を前記側面板又は背板の上端を隠蔽するように取付け、前記頂板の、前記補強部の背面側に臨む位置に上下方向への貫通孔を設けるようにすれば、この頂板の孔を利用して壁面に配置した収納家具に耐震金具を差込んで壁に固定したり、隣合う又は背中合わせに配置された収納家具同士に連結用金具を差込んで取付けたりした際に、収納家具の収納空間から金具が見えず美観を損なわない。
【発明の効果】
【００１１】
以上、説明したように本発明に係る収納家具によれば、断面コの字型に形成した補強部材を溶接によって側面板や背板に取付けていた従来の構造に較べて部品点数や製造工程を削減でき、補強部分は側面板又は背板を塑性変形して形成しており、従来のように補強部品と側面板又は背板の二重構成になっていないため、補強を構成する凹凸形状部に設けた棚板保持具係合孔は側面板又は背板の前後方向に貫通し、これによって収納家具の外方側面側や背面側からも棚板等を取付けることが可能となる。
【００１２】
また、収納家具の外方側面側や背面側から見ると前記補強部は高さ方向に直線状に凹んでいて、その内部に取付孔が開口しているため、無造作に取付孔が露呈する場合に比して良好な外観が保たれ、しかもこの凹陥部に嵌まり込んで前記棚板保持具係合孔に係合する爪部から離間した位置で前記補強凹陥部の側壁部に当接する部分を有する形状をした棚板保持具を用いた場合には、棚板に横方向の力が加わったような場合でも、棚板保持具が左右にぶれることなく安定して棚板を支持することが出来るという効果をも奏する。
【発明を実施するための最良の形態】
【００１３】
本発明の一実施形態を図面を参照して説明する。
この実施形態に係る収納家具Ｔは、図１に斜視図、図２に正面図、図３に側面図、図４に平面図、図５に図２におけるａ−ａ断面図をそれぞれ示すように、内部に収納空間Ｓ１を有し、前記収納空間Ｓ１を幅方向に区画する中間仕切り１５をさらに有した収納家具Ｔと、この収納家具Ｔに係合爪３１を有する棚板保持具３を介して取り付けられる棚板２とを備えている。収納家具Ｔへの棚板２の取付態様を示す分解斜視図を図６に示す。また、その前方には、図１に示すように、前扉９ａ、９ｂを取り付け可能に構成している。なお、前記図２〜図６においては、前記前扉９ａ、９ｂは省略して示している。
【００１４】
収納家具Ｔは、金属板、例えば鋼板等を折り曲げて成形してなる頂板１１、底板１２、背板１３、左右一対の側板１４を筐形に組み付けることによって前面を開口させた収納空間Ｓ１を形成し、前記収納空間Ｓ１内に前記側板１４に平行な中間仕切り１５を配設することで、前記収納空間Ｓ１を幅方向に分割した小空間たる物品収納空間Ｓを形成しているものである。また、前記頂板１１、底板１２、背板１３、及び側板１４の相互の組み付け構造は、この種の収納家具Ｔとして周知のものと同様である。
【００１５】
前記頂板１１は、鋼板の周縁部を下方に折り返して形成してなるもので、平面視矩形状をなす。また、本実施形態では下面の前端縁から所定距離離間した位置に図示しない横架材を設けている。
【００１６】
前記側板１４は、その前端部に鋼板を折り返すことにより形成される後向き面１４ｂを有する折り返し部１４ａを有する。そして、上端部を頂板１１に接続している。
【００１７】
前記底板１２は、鋼板の周縁部を下方に折り返して形成してなるもので、平面視矩形状をなし、その左右両端縁をそれぞれ前記側板１４に支持させている。さらに本実施形態では、この底板１２の前線部下方に、左右側板１４を連結して全体強度を向上し、底板１２の下方空間を前方空間から隠蔽する巾木１６を設けている。
【００１８】
前記中間仕切り１５は、前記側板１４に沿う面板部１５ａと、前端部に位置し横断面視矩形状をなす折り返し部１５ｂとを鋼板曲げ加工により形成してなる。前記折り返し部１５ｂは、前記側板１４の折り返し部１４ａの前面と略面一な前面１５ｃ、及び前記面板部１５ａの表面と接続する後向き面１５ｄを有する。なお、本実施形態では、前記折り返し部１５ｂを、頂板１１の下面の前端縁から所定距離離間した位置に設けた図示しない横架材に溶接して固定している。
【００１９】
しかして本実施形態では、背板１３に、高さ方向に延伸する複数の補強部１３ａを塑性変形加工により形成している。
【００２０】
具体的には、前記補強部１３ａは、背板１３を形成する鋼板をプレスして形成していて、前方に向く前向き面１３ｂを有する前向き面部１３ａ１と、前記前向き面部１３ａ１と背板１３の補強部１３ａ以外の箇所である面板部１３ｍとを接続する接続部１３ａ２とを有し、前記面板部１３ｍよりも内方、すなわち前方に突出しているとともに高さ方向に延伸している。また、本実施形態では、前記前向き面１３ｂに、棚板保持具３の係合爪３１と係合可能な係合孔１３Ｘを形成していて、補強部１３ａのプレス形成の際にこの係合孔１３Ｘを打ち抜いて補強部１３ａの形成と同時に形成している。
【００２１】
そして前記背板１３の、前記側板１４と前記中間仕切り１５で挟まれた範囲及び一対の中間仕切り１５で挟まれた範囲、すなわち各物品収納空間Ｓにおいて、その範囲の左右端近傍にそれぞれ前記補強部が配置されるように収納家具Ｔが構成されている。
【００２２】
さらに、この背板１３の下端部には、収納空間Ｓ１と収納家具Ｔ後方の空間とを連通する配線押通口１３ｙを形成している。なお、本実施形態では、さらに中間仕切り１５の面板部１５ａの下端部にも該中間仕切り１５の面板部１５ａの両側の空間を連通する配線挿通口１５ｙを形成している。
【００２３】
また、前記側板１４の前記後向き面１４ｂにも棚板保持具３の係合爪３１と係合可能な係合孔１４Ｘを形成している。さらに、前記中間仕切り１５の後向き面１５ｄにも棚板保持具３の係合爪３１と係合可能な係合孔１５Ｘを形成している。
【００２４】
棚板２は、鋼板の周縁部を下方に折り返して形成した平面視矩形状をなすもので、この種の収納家具に広く用いられている棚板として周知のものと同様の構成を有する。
【００２５】
棚板保持具３は、金属片を屈曲して形成していて、この種の収納家具に広く用いられている棚板として周知のものと同様の構成を有する。すなわち、前記図６に示すように、上方に向けて開口する形状をなし、この開口部分に前記棚板２の周縁部下端を載置してこの棚板２を保持するとともに、上端部には前記係合孔１３Ｘ、１４Ｘ、１５Ｘと係合可能な係合爪３１を有し、これら係合孔１３Ｘ、１４Ｘ、１５Ｘと係合爪３１とを係合させることによりこの棚板保持具３を収納家具Ｔに取り付けるようにしている。
【００２６】
収納家具Ｔへの棚板２の取り付けは次のようにして行う。前記図６に示すように、まず、所望の高さ位置に位置する係合孔１３Ｘ、１４Ｘ、１５Ｘに、棚板保持具３の係合爪３１を係合させ、棚板保持具３を収納家具Ｔに取り付ける。次いで、係合爪３１を前記補強部１３ａの前向き面部１３ａ１に設けた係合孔１３Ｘに係合させた棚板保持具３に棚板２の後端部を支持させる。そして、係合爪３１を前記折り返し部１４ａの後向き面１４ｂに設けた係合孔１４Ｘに係合させた棚板保持具３、又は係合爪３１を前記中間仕切り１５の後向き面１５ｄに設けた係合孔１４Ｘに係合させた棚板保持具３に棚板２の前端部を支持させる。
【００２７】
しかして、前記係合孔１３Ｘは、１枚の鋼板をプレスすることで背板１３に一体に成形された補強部１３ａに設けられているため背板の前後方向に貫通しており、図９に示すように、収納家具Ｔの背面側からも棚板等を取付けることが可能となっている。このとき背面側からは補強部１３ａは収納空間Ｓの方向に凹んでいるため、背面用棚板保持具３Ｒ１は、これに見合った寸法設定となっており、背面用棚板２Ｒ1を背板１３の背面側に保持することが可能となっている。なお、寸法設定によっては前記背面用棚板保持具３Ｒ１を収納空間用の前記棚板保持具３と共通とすることも可能である。
【００２８】
前記背面用棚板２Ｒ１は、その背面左右両端近傍の上部に設けられた係合孔２Ｒ１Ｘを、前記収納家具Ｔの前記係合孔１３Ｘの背面側から取付けた前記背面用棚板保持具３Ｒ１に係合させて収納家具Ｔの背面に吊り下げる。ここで背面用棚板２Ｒ1の左右両側面は略三角形状になっており、前記背面用棚板２Ｒ1の垂直辺２Ｒ１Ｙが収納家具Ｔの背板１３に当接して棚板上面を略水平に保つようになっている。
【００２９】
一方、背面用棚板保持具３Ｒ２は側面視略三角形のブラケット形状をなしており、その一頂部に前記係合孔１３Ｘに係合可能な係合爪３Ｒ２１を設けている。前記係合爪３Ｒ２１を収納家具Ｔの前記係合孔１３Ｘの背面側から取付けた際、前記背面用棚板保持具３Ｒ２の垂直辺３Ｒ２Ｙが収納家具Ｔの背板１３に当接して他の一辺を略水平に保つようになっている。そして、このようにして取付けた左右一対の背面用棚板保持具３Ｒ２の略水平な辺３Ｒ２Ｕ上に背面用棚板２Ｒ２を乗せ置くようにする。
【００３０】
詳しくは図１０に示すように、前記係合爪３Ｒ２１は、前記背面用棚板保持具３Ｒ２の略水平な辺３Ｒ２Ｈの基端部を階段状に段落させて設けられており、前記段落部の垂直延出部３Ｒ２Ｖが前記棚板２Ｒ２の下向きに折り曲げられた周縁部２Ｒ２Ｖよりも若干長く、水平延出部３Ｒ２Ｈが前記補強部１３ａの凹陥深さ寸法よりも若干長くなっているため、前記段落部の垂直延出部３Ｒ２Ｖと背板１３の隙間に前記棚板２Ｒ２の周縁部２Ｒ２Ｖが嵌まり込むようになっている。
【００３１】
また、前記背面用棚板保持具３Ｒ２を収納家具Ｔの補強部１３ａに背面側から取付け、棚板に横方向の力が加わったような場合を想定してみる。このとき前記補強部１３ａは上下方向に直線目地状に凹んでおり、その目地部側面に前記背面用棚板保持具３Ｒ２の垂直方向の辺３Ｒ２Ｙが当接するため、前記背面用棚板保持具３Ｒ２が左右に回動するのを防止し、安定して棚板を支持することができる。また、図示しないが、前記係合孔１３Ｘに係合可能な係合爪３Ｒ２１を前記背面用棚板保持具３Ｒ２の垂直方向に位置する上下２箇所の頂部に設けてもかまわない。
【００３２】
一方、棚板２を収納家具Ｔに取り付けた際、棚板２の後端縁２ａと背板１３の面板部１３ｍとの間に、前記図５に示すように、配線を押通可能な配線挿通空間ＳＳが形成される。そして、前記図２に示すように、この配線挿通空間ＳＳに配置した電気器具Ｅからの配線Ｃを、前記中間仕切り１５に設けた配線押通口１５ｙを経て、又は直接前記背板１３に設けた配線挿通口１３ｙから外部に引き出すようにしている。
【００３３】
そして、頂板１１には、前記背板１３の補強部１３ａ外方、すなわち該補強部１３ａ後方の空間と連通可能なスリット１１ｓを設けている。収納家具Ｔは、このスリット１１ｓ及び耐震補強具Ｈを介して壁体Ｗに固定できるようにしている。具体的には、図７に示すように、このスリット１１ｓに耐震補強具Ｈの下部を挿入するとともに、該耐震補強具Ｈの上部を同図に示すように壁体ＷにねじＶ等を介して固定すると、収納家具Ｔが壁体Ｗに固定される。
【００３４】
また図示はしないが、コの字形状の金具で、背中合わせに配置した収納家具Ｔの前記スリット１１ｓ同士をつなぐようにすることも可能である。側板１４に前記補強部１３ａが形成され、それに対応する頂板部に前記スリット１１ｓが設けられている場合には、コの字形状の金具で、隣合うように並べて配置した収納家具Ｔの前記スリット１１ｓ同士をつなぐようにすることもできる。
【００３５】
本実施形態に係る収納家具Ｔは、以上に述べたように、頂板１１と底板１２と、凹凸形状をなし高さ方向に延伸する複数の補強部１３ａを一枚の鋼板に塑性変形加工することによって一体に形成してなる背板１３とで囲まれた収納空間Ｓ１を有し、前記補強部１３ａは前記収納空間Ｓ側に突出しており、前記収納空間Ｓに棚板保持具３を用いて棚板２を取付けて使用するものであって、前記補強部１３ａに前記背板１３の前後方向に貫通する棚板保持具係合孔１３ｘを有するので、従来のような別途補強部品を準備して溶接する構成のものに較べて部品点数や工程が削減でき、コストダウンに役立つ。また、収納空間Ｓ側に突出した補強部１３ａの棚板保持具係合孔１３ｘに棚板保持具を取付けるため、収納家具Ｔの外形背面側に棚板保持具３が突出せず、収納家具Ｔを壁面に配置した時にも邪魔にならず、収納家具Ｔを部屋の壁際以外に設置したときには、その棚板保持具係合孔１３ｘが収納空間Ｓと背面側に貫通するように設けられているため、収納家具Ｔの外方背面側からも棚板等を取付けることが可能となり収納家具Ｔの側面側や背面側の有効利用に役立つ。
【００３６】
また、小さな物や長尺物を一括して効率よく収納するために、前記収納空間Ｓ１を幅方向に区画する中間仕切り１５によって複数の小空間たる物品収納空間Ｓに分割されており、前記背板１３の前記物品収納空間Ｓに面する範囲内の左右端近傍にそれぞれ前記補強部１３ａを形成しているので、各物品収納空間Ｓ毎に必要な段数の棚板２を取付けることが可能となっている。
【００３７】
さらに、前記頂板１１を前記背板１３の上端を隠蔽するように取付け、前記頂板１１の、前記補強部１３ａの背面側に臨む位置に上下方向への貫通孔１１ｓを設けるようにしたので、収納家具Ｔを壁面に配置した際に前記頂板１１の貫通孔１１ｓに耐震金具を差込んで壁面に固定したり、前記収納家具Ｔ同士を背中合わせに配置し各貫通孔１１ｓをつなぐように下向きコの字に開放した連結用金具を差込んで連結した際に、収納家具Ｔの収納空間Ｓから金具が見えず美観を損なわない。
【００３８】
なお、本発明は以上に述べた実施形態に限られない。例えば、補強部は内方でなく外方に突出させて設けてもよい。このように構成しても、チャネル状をなす補強材を溶接等により取り付ける従来のものと比較して部品点数の削減を図る効果は得られる。
【００３９】
また、図６に相当する図を図８に示すように、側板１４にも折り曲げ成形により補強部１４ｃを形成するようにしてもよい。このようなものであっても、前記部品点数の削減効果の他、図８のように補強部が内方に突出し、棚板２を補強部１４ｃよりも内方に配置しているものであれば、側板１４の折り返し部１４ａ及び補強部１４ｃ以外の箇所である面板部１４ｍと棚板２との間の空間を配線挿通空間として利用できる。さらに、この補強部１４ｃに棚板２又は棚板２を保持する棚板保持具３に設けた係合爪３１と係合可能な係合孔１４ＸＸを形成してもよい。さらに、図示はしないが、側板に補強部を前後方向に離間させて複数設け、この補強部に棚板又は棚板を保持する棚板保持具に設けた係合爪と係合可能な係合孔を形成してもよく、背板に設けた補強部と側板に設けた補強部の両方に前記係合爪と係合可能な係合孔を形成してもよい。
【００４０】
加えて、背板に設けた補強部に棚板又は棚板を保持する棚板保持具に設けた係合爪と係合可能な係合孔を形成する場合、必ずしも前向き面に形成する必要はなく、接続部に形成するようにしてもよく、前向き面と接続部に跨って形成してもよい。
【００４１】
そして、前記図８に示すように、中仕切り板１５に補強部１５ｃを設けるようにしてもよく 、さらに中仕切り板１５の補強部１５ｃにも前記棚板保持具３に設けた係合爪３１と係合可能な係合孔１５ＸＸを形成してもよい。加えて、中仕切り板を省略する態様も考えられる。
【００４２】
その他、スチール材でなくアルミ材やステンレス材等を用いて形成する等、本発明の趣旨を損ねない範囲で種々に変形してよい。
【図面の簡単な説明】
【００４３】
【図１】本発明の一実施形態に係る収納家具を示す斜視図。
【図２】同実施形態に係る収納家具を示す正面図。
【図３】同実施形態に係る収納家具を示す側面図。
【図４】同実施形態に係る収納家具を示す平面図。
【図５】図2におけるa−a断面図。
【図６】同実施形態における棚の取付態様を示す分解斜視図。
【図７】同実施形態における棚の壁体への固定の態様を示す図。
【図８】本発明の他の実施形態における棚の取付態様を示す分解斜視図。
【図９】本発明の一実施形態に係る収納家具を示す背面斜視図。
【図１０】本発明の一実施形態に係る背面用棚板保持具の詳細図。
【符号の説明】
【００４４】
１・・・・・棚構造体
１１・・・・頂板
１１ｓ・・・スリット
１２・・・・底板
１３・・・・背板
１３Ｘ・・・係合孔
１３ａ・・・補強部
１３ｙ・・・配線押通口
１４・・・・側板
１４Ｘ・・・係合孔
１５・・・・中間仕切り
１５Ｘ・・・係合孔
１５ｙ・・・配線押通口
２・・・・・棚板
２Ｒ1・・・・背面用棚板
２Ｒ２・・・背面用棚板
３・・・・・棚板保持具
３１・・・・係合爪
３Ｒ１・・・背面用棚板保持具
３Ｒ２・・・背面用棚板保持具
Ｈ・・・・・耐震補強具
Ｓ・・・・・物品収納空間
Ｓ１・・・・収納空間
ＳＳ・・・・配線挿通空間
Ｔ・・・・・収納家具
Ｗ・・・・・壁体
【図１】
2005278719.tif 000003
【図２】
2005278719.tif 000004
【図３】
2005278719.tif 000005
【図４】
2005278719.tif 000006
【図５】
2005278719.tif 000007
【図６】
2005278719.tif 000008
【図７】
2005278719.tif 000009
【図８】
2005278719.tif 000010
【図９】
2005278719.tif 000011
【図１０】
2005278719.tif 000012